(57)【要約】【課題】運転時にユーザに与える圧迫感を低減し得る空気調和機を提供する。【解決手段】空気調和機（１）は、吹出口（７）を有する本体部（２）と、吹出口（７）を開閉し、吹出口（７）から吹き出される風を案内する導風板（３）と、導風板（３）を駆動する導風板駆動機構と、を有し、導風板（３）が吹出口（７）を覆う閉位置にある状態で、導風板（３）と吹出口との間には所定の距離以上の隙間（１０）が存在し、吹出口（７）から吹き出した風を隙間（１０）から機外へ送出する閉位置モードを有する。【選択図】図７
2020193756.tif 000002
【特許請求の範囲】
【請求項１】
吹出口を有する本体部と、
前記吹出口を開閉し、前記吹出口から吹き出される風を案内する導風板と、
前記導風板を駆動する導風板駆動機構と、を有し、
前記導風板が前記吹出口を覆う閉位置にある状態で、前記導風板と前記吹出口との間には所定の距離以上の隙間が存在し、
前記吹出口から吹き出した風を前記隙間から機外へ送出する閉位置モードを有することを特徴とする空気調和機。
【請求項２】
前記吹出口は、前記本体部における上方から下方に向かって後面側に傾斜した前面部に配された前面パネルに設けられ、
前記導風板は、前記吹出口よりも大きく、前記閉位置で前記前面パネルに重畳して配され、前記隙間が前記導風板と前記前面パネルとの間に形成されていることを特徴とする請求項１に記載の空気調和機。
【請求項３】
前記導風板は、前記本体部の内側に向かって凹をなすＲ形状を有することを特徴とする請求項２に記載の空気調和機。
【請求項４】
前記前面パネルは、前記閉位置に位置する前記導風板に沿う形状を有することを特徴とする請求項３に記載の空気調和機。
【請求項５】
前記前面パネルにおける前記吹出口の下方、あるいは前記導風板における前記吹出口の下方と対向する部分に、前記隙間を前記吹出口の上方および左右の側方よりも狭める、あるいはシールするための凸形状を有することを特徴とする請求項２から４の何れか１項に記載の空気調和機。
【請求項６】
空気を清浄化する空気清浄部を有し、
前記閉位置モードにて、前記空気清浄部を用いた空気清浄運転が実行されることを特徴とする請求項１から５の何れか１項に記載の空気調和機。
【発明の詳細な説明】
【技術分野】
【０００１】
本発明は、空気調和機に関する。
【背景技術】
【０００２】
近年、空気清浄機能を搭載した空気調和機（エアコン）が開発されている。また、空気調和機は、省エネ化の観点から大型化する傾向にあり、空気調和機からの風を案内する導風板も大型化している。導風板を大型化することで、より広範囲に風を送ることができ、空調範囲や空気清浄範囲を広くすることができる。このような大型の導風板は、空気調和機の前面に配置される場合が多く、空気調和機の外観の大部分を占めることになる（例えば、特許文献１）。
【０００３】
なお、空気調和機には、室外機が分離された分離型と、室外機が一体化された一体型とがあるが、本明細書においては空気調和機とは、分離型の場合は室内機を指す。
【先行技術文献】
【特許文献】
【０００４】
【特許文献１】特開２０１９−４５０２３号公報
【発明の概要】
【発明が解決しようとする課題】
【０００５】
従来、空気調和機において導風板は、空気調和機の停止時に閉じられ、空気調和機の運転時に開かれる。導風板が閉じている停止時の空気調和機は、落ち着いた風貌を呈するが、導風板が開いた運転時の空気調和機は、厳つい風貌を呈し、ユーザが圧迫感を感じる場合がある。空気調和機は、省エネ化の観点から今後も大型化すると考えられるため、運転時におけるユーザが感じる圧迫感を低減することが望まれている。
【０００６】
本発明の一態様は、運転時にユーザに与える圧迫感を低減し得る空気調和機を提供することを目的としている。
【課題を解決するための手段】
【０００７】
上記の課題を解決するために、本発明の一態様に係る空気調和機は、吹出口を有する本体部と、前記吹出口を開閉し、前記吹出口から吹き出される風を案内する導風板と、前記導風板を駆動する導風板駆動機構と、を有し、前記導風板が前記吹出口を覆う閉位置にある状態で、前記導風板と前記吹出口との間には所定の距離以上の隙間が存在し、該隙間より前記吹出口から吹き出した風を機外へ送出する閉位置モードを有することを特徴とする。
【発明の効果】
【０００８】
本発明の一態様によれば、閉位置モードを有することで、運転時にユーザに与える圧迫感を低減し得る空気調和機を提供することができるといった効果を奏する。
【図面の簡単な説明】
【０００９】
【図１】実施の形態１に係る空気調和機の、導風板が閉位置にある状態の正面図である。
【図２】実施の形態１に係る空気調和機の、導風板が閉位置にある状態の側面図である。
【図３】実施の形態１に係る空気調和機の、導風板が閉位置にある状態の縦断面図である。
【図４】実施の形態１に係る空気調和機の、導風板が上開きした状態の側面図である。
【図５】実施の形態１に係る空気調和機の、導風板が上開きした状態の正面図である。
【図６】実施の形態１に係る空気調和機の、導風板が下開きした状態の側面図である。
【図７】（ａ）（ｂ）は、実施の形態１に係る空気調和機の閉位置モード時の風の吹き出しを説明する図であり、（ａ）は正面より見た図、（ｂ）は側面より見た図である。
【図８】実施の形態１に係る空気調和機の制御装置の構成を示すブロック図である。
【図９】実施の形態２に係る空気調和機の、導風板が閉位置にある状態の側面図である。
【図１０】実施の形態２に係る空気調和機の、導風板が閉位置にある状態の正面図である。
【図１１】（ａ）（ｂ）は、実施の形態２に係る空気調和機の閉位置モード時の風の吹き出しを説明する図であり、（ａ）は正面より見た図、（ｂ）は側面より見た図である。
【図１２】実施の形態３に係る空気調和機の、導風板が閉位置にある状態の模式図である。
【図１３】図１２における矢印Ｙにて示す方向から実施の形態３に係る空気調和機の吹出口を見た要部の図である。
【発明を実施するための形態】
【００１０】
〔実施の形態１〕
本発明の実施の形態を図面に基づいて以下に説明する。なお、本実施の形態では、吹出口よりも大きな大型の導風板を備えた空気清浄機能付きの空気調和機を例示する。しかしながら、本願発明は、吹出口と同等サイズの導風板を備えた空気調和機であってもよく、また、空気清浄機能を備えていない空気調和機に適用することもできる。また、本実施の形態では、分離型の空気調和機を例示するが、一体型にも適用可能である。
【００１１】
（空気調和機１の概要）
図１は、本実施の形態に係る空気調和機（室内機）１の、導風板３が閉位置にある状態の正面図である。図２は、空気調和機１の、導風板３が閉位置にある状態の側面図である。図３は、空気調和機１の、導風板３が閉位置にある状態の縦断面図である。図４は、空気調和機１の、導風板３が上開きした状態の側面図である。図５は、空気調和機の、導風板３が上開きした状態の正面図である。図６は、空気調和機１の、導風板３が下開きした状態の側面図である。
【００１２】
図１から図６に示すように、空気調和機１は、本体部２と、本体部２の前面部に配置される導風板３とを備えている。本体部２の内部には、送風ファン１３、熱交換器１４等が配されている。なお、本体部２を前面（正面）から見て幅方向を左右方向とし、本体部２の奥行き方向を前後方向とし、本体部２の高さ方向を上下方向とする。
【００１３】
本体部２の上面部には上吸込口８が形成され、本体部２の下面部には下吸込口９が形成されている。このうち、上吸込口８には上吸込口８を開閉する蓋部１２が設けられ、該蓋部１２は、蓋部１２を開閉駆動する蓋駆動モータ３３（図８参照）にて開閉される。
【００１４】
本体部２の前面部には吹出口７が形成されている。本実施の形態では、本体部２の前面部は、上方から下方に向かって後面側に傾斜しており、この傾斜面に前面パネル４が配されている。吹出口７は、前面パネル４に形成されており、図５に示すように、前面パネル４においては、左右および上下に大きく吹出口７が開口されている。
【００１５】
本体部２の内部には、上吸込口８から吹出口７に至る上空気通路と、下吸込口から吹出口７に至る下空気通路とが形成されている。送風ファン１３および熱交換器１４は、これら上下の空気通路が共通する部分に配置されている。これら上下の空気通路が共通する部分には、後述するイオン発生器３８（図８参照）も配置されている。
【００１６】
また、図示してはいないが、上吸込口８には通常機能のフィルタが配設され、下吸込口９には例えばＨＥＰＡフィルタ(High Efficiency Particulate Air Filter)等の空気清浄効果の高いフィルタが設置されている。ＨＥＰＡフィルタによる空気清浄Ａを伴う運転（空気清浄Ａ運転、空気清浄Ａを伴う冷房，暖房，除湿運転等）では、下吸込口９から空気が吸い込まれる。ＨＥＰＡフィルタを用いない運転では、上吸込口８から空気が吸い込まれる。ＨＥＰＡフィルタを用いない運転としては、空気清浄を伴わない運転（冷房，暖房，除湿運転等）、イオン発生器３８にて発生したイオンを含むイオン風にて空気を浄化する空気清浄Ｂを伴う運転（空気清浄Ｂ運転、空気清浄Ｂを伴う冷房，暖房，除湿運転等）が含まれる。
【００１７】
ＨＥＰＡフィルタおよびイオン発生器３８が空気清浄部に相当する。なお、本実施の形態では、ＨＥＰＡフィルタおよびイオン発生器３８の両方を備える構成を例示するが、何れか一方を備える構成であってもよい。
【００１８】
導風板３は、吹出口７を開閉し、吹出口７から吹き出される風を案内する。図１、図２に示すように、導風板３は、閉位置にある状態（閉状態とも称する）で吹出口７を覆い、図４、図６に示すように開いた状態で吹出口７を開放する。図４は、導風板３が下端側を軸として上端側が開いた上開きの状態を示している。上開きの状態では風は上吹きとなる。図４は、導風板３が最大限に上開きした状態を示しており、導風板３の上開きの角度（風向角度）は、導風板３が吹出口７を覆う閉位置から、図４に示す最大角度まで段階的に設定可能である。
【００１９】
図６は、導風板３が上端側を軸として下端側が開いた下開きの状態を示している。下開きの状態では風は下吹きとなる。図６も、導風板３が最大限に下開きした状態を示しており、導風板３の下開きの角度（風向角度）も、閉位置から図６に示す最大角度まで段階的に設定可能である。
【００２０】
このような導風板３は、アーム１５を構成要素の一部として含む、本体部２の左右の側面に設けられた図示しない導風板駆動機構にて駆動される。導風板駆動機構は、導風板３を駆動する導風板駆動モータ３４（図８参照）と、該モータの力を導風板３に伝達する駆動ギア等を備えている。
【００２１】
（閉位置にある導風板３と吹出口７との間に形成される隙間１０）
図２、図３に示すように、空気調和機１においては、導風板３が吹出口７を覆っている閉位置にある状態で、導風板３と吹出口７との間に所定の距離Ｘ以上の隙間１０が存在している。本実施の形態では、隙間１０を保持した閉位置にある状態が、導風板の開駆動の初期位置である。導風板駆動機構は閉位置を基準として導風板３を駆動して、上開き又は下開きする。導風板駆動モータ３４は、導風板３が閉位置にある状態を基準（ホームポジション）として回転する。
【００２２】
この隙間１０は、後述する閉位置モードにおいて、吹出口７から吹き出された空気を機外へ送出するために設けられており、空気調和機１は、吹出口７から吹き出した風を隙間１０から機外へ送出する閉位置モードを有している。隙間１０は、導風板３が閉位置にある状態での空気調和機１の運転を可能にするために設けられている。
【００２３】
隙間１０の寸法となる上記所定の距離Ｘは、１０ｍｍ以上とすることが好ましい。これは、上記所定の距離Ｘが１０ｍｍ未満となると、隙間１０の寸法が不十分となるためである。隙間１０の寸法が不十分となると、吹出口７から吹き出される風が機外へ送出され難くなり、送風ファン１３にかかる負荷が大きくなる。本実施の形態では、上記所定の距離Ｘは１５ｍｍ〜２０ｍｍに設定されている。
【００２４】
また、本実施の形態では、導風板３は、吹出口７よりも大きく、閉位置で前面パネル４の全体を覆う大きさに形成されている。そして、導風板３は、閉位置で前面パネル４に重畳して配され、隙間１０が導風板３と前面パネル４の間に形成されている。
【００２５】
このような構成とすることで、吹出口７から吹き出された風は導風板３に沿って案内され、導風板３の端部から空気調和機１の外部（機外）へと送出される。これにより、吹出口７と同程度の大きさで、吹出口７に嵌り込むようにして吹出口７を塞ぐ小型の導風板に比べて、隙間１０から送出する風を効果的に空気調和機１の周囲に広めることができる。
【００２６】
さらに、本実施の形態では、より好ましい構成として、導風板３は、本体部２の内側に向かって凹をなすＲ形状を有している。これにより、隙間１０から送出される風は、導風板３のＲ形状に沿って送出され、イオンを含むイオン風やＨＥＰＡフィルタで浄化された空気を、より遠くへ送ることができる。
【００２７】
また、本実施の形態においては、前面パネル４にも閉位置に位置する導風板３に沿う形状が付与されているので、隙間１０から送出される風をより効果的に導風板３のＲ形状に沿わせて、より遠くへ送ることができる。
【００２８】
（閉位置モード）
図７の（ａ）（ｂ）は、空気調和機１の閉位置モード時の風の吹き出しを説明する図であり、（ａ）は正面より見た図、（ｂ）は側面より見た図である。図７の（ａ）（ｂ）に示すように、吹出口７から吹き出された風は、導風板３の裏面に当たることで隙間１０を専ら上下方向に進み、導風板３の上端部および下端部から機外へ送出される。吹出口７の左右方向には、前面パネル４が存在しているため、左右の側端部から機外へ送出される風は少なくなる。
【００２９】
特に、図７の（ｂ）に示すように、導風板３が上述したＲ形状を有しているので、導風板３の上端部から送出される風は、導風板３のＲ形状に沿うことで自ずと天井１００に沿って進む風となり、コアンダ効果にて遠くへ送り出すことができる。
【００３０】
（空気調和機１の制御装置）
図８は、空気調和機１の制御装置の構成を示すブロック図である。図８に示すように、空気調和機１の制御装置は、例えばマイクロコンピュータからなる制御部３１および記憶部３９を備えている。制御部３１には受信部３６が接続され、受信部３６は、ユーザが操作するリモートコントローラ（以下、単にリモコンと称する）３７からの指令を受信する。制御部３１は、リモコン３７からの指令に応じて、イオン発生器３８、空調部３２、蓋駆動モータ３３、導風板駆動モータ３４および送風機モータ３５の動作を制御する。記憶部３９は、イオン発生器３８、空調部３２、蓋駆動モータ３３、導風板駆動モータ３４および送風機モータ３５の動作を制御するために必要な各種の情報を記憶している。
【００３１】
空調部３２は、冷凍サイクルを実行する部分であり、蒸発器、凝縮機および圧縮機等、冷凍サイクルを実行するための構成を有する。空調部３２は、室内機である空気調和機１および室外機５に亘って構成されている。
【００３２】
蓋駆動モータ３３は、蓋部１２を駆動して開閉動作を行わせる。導風板駆動モータ３４は、例えば暖房や冷房の設定、あるいはユーザ設定に応じて、導風板３をそれぞれの位置に配置されるように駆動する。送風機モータ３５は、送風ファン１３を回転させる。
【００３３】
本実施の形態において、制御部３１は、冷凍サイクルを動作させない空気清浄運転の開始が指示されると、導風板駆動モータ３４を動作させることなく導風板３を閉位置としたままで、送風機モータ３５に指示して送風ファン１３を回転させる。これにより、閉位置モードでの空気清浄運転が実行される。
【００３４】
閉位置モードで行う空気清浄運転としては、ＨＥＰＡフィルタを用いる空気清浄Ａ運転でも、イオン発生器３８で発生したイオンを用いる空気清浄Ｂ運転でもよい。ＨＥＰＡフィルタによる空気清浄Ａ運転であれば、制御部３１は、蓋駆動モータ３３を駆動させて蓋部１２を閉じる。イオン発生器３８を用いた空気清浄Ｂ運転では、蓋部１２は開放したままとし、イオン発生器３８をオンする。もちろん、空気清浄Ａ運転と空気清浄Ｂ運転の両方を一緒に行ってもよく、その場合は、制御部３１は、蓋駆動モータ３３を駆動させて蓋部１２を閉じ、イオン発生器３８をオンする。
【００３５】
また、制御部３１は、閉位置モードにて空気清浄運転を実行中に、リモコン３７から導風板３の風向角度が設定された場合は、導風板３が設定された風向角度となるように導風板駆動モータ３４を駆動させる。
【００３６】
また、本実施の形態において、制御部３１は、空気清浄運転から空調運転への移行において、送風ファン１３は停止させず、継続させる。
【００３７】
（空気調和機１の利点）
空気調和機１は、導風板３が閉位置にある状態で、導風板３と吹出口７との間に所定の距離Ｘ以上の隙間１０を有し、該隙間より吹出口７から吹き出した風を機外へ送出する閉位置モードを有する。したがって、閉位置モードによる運転を選択することで、導風板３が閉位置にある圧迫感の少ない風貌にて、空気調和機１を運転させることが可能となる。これにより、運転時にユーザに与える圧迫感を低減することができる。
【００３８】
また、床面に設置されるタイプの空気清浄機においては、常時スイッチを入れた状態で使用されることがあるが、同様の使い方を従来の空気清浄機能を有する空気調和機にて実行しようとすると、常に導風板が開いた状態となるため、圧迫感を嫌うユーザには受け入れられない恐れがある。
【００３９】
しかしながら、上述したように、本実施の形態の空気調和機１では、空気清浄運転を閉位置モードにて実行するようになっているので、床置きのタイプの空気清浄機と同様の使い方としても、ユーザに与える圧迫感を低減することができる。
【００４０】
これにより、空気調和機１による空気清浄運転の実行を受け入れやすくして、空気調和機１による空気清浄運転の普及に貢献できる。なお、本実施の形態では、空気清浄運転を閉位置モードにて実行する構成を例示したが、冷房運転、暖房運転、除湿運転等を閉位置モードにて行うことも可能である。
【００４１】
また、本実施の形態において、空気清浄運転から空調運転への移行において、送風ファン１３は停止されず、送風が継続される。これにより、切り替えがスムーズに行え、空調運転が遅延なく開始される。その結果、ユーザ操作に対する応答性に優れたものとなり、ユーザの満足度を上げることができる。
【００４２】
また、導風板駆動機構にて隙間１０を確保した閉位置にまで導風板を移動させる構成とすることも考えられるが、その場合、閉位置に保持している間、導風板駆動機構に負荷がかかる。床置きのタイプの空気清浄機のように、常時空気清浄運転を実行し続ける使い方を考えた場合、導風板３が閉位置にある状態で導風板駆動機構に係る負荷は極力小さくすることが好ましい。
【００４３】
上記構成によれば、隙間１０を有する閉位置が、導風板駆動機構による導風板３の開駆動の初期位置であるので、導風板駆動機構に含まれる駆動ギア等に負荷を掛けずに隙間１０を確保した状態を保持できる。また、導風板駆動モータ３４のホームポジションであるので、導風板３の開駆動を迅速に開始できるといった利点もある。
【００４４】
〔実施の形態２〕
本発明の他の実施の形態について、以下に説明する。なお、説明の便宜上、上記実施の形態にて説明した部材と同じ機能を有する部材については、同じ符号を付記し、その説明を繰り返さない。
【００４５】
図９、本実施の形態に係る空気調和機１’の、導風板３が閉位置にある状態の側面図である。図１０は、空気調和機１’の、導風板３が閉位置にある状態の正面図である。図９、図１０に示すように、前面パネル４における吹出口７の下方に、導風板３と前面パネル４との間に形成される隙間１０を狭めるための凸形状２５が形成されている。凸形状２５は、左右方向に長く形成されている。このような凸形状２５が形成されることで、隙間１０は、吹出口７の下方においてその上方および左右の側方よりも狭くなっている。また、このような凸形状２５は、導風板３における吹出口７の下方と対向する部分に設けてもよい。
【００４６】
凸形状２５は、前面パネル４あるいは導風板３の一部として形成してもよいが、軟質材料を採用して別部品として形成し、前面パネル４又は導風板３に取り付けてもよい。軟質材料からなる凸形状２５とすることで、対向する導風板３又は前面パネル４に当接した状態で上記隙間１０を完全にシールすることができる。
【００４７】
図１１の（ａ）（ｂ）は、空気調和機１’の閉位置モード時の風の吹き出しを説明する図であり、（ａ）は正面より見た図、（ｂ）は側面より見た図である。図１１の（ａ）（ｂ）に示すように、凸形状２５によって隙間１０が狭められることで、導風板３の下端部から送出される風量が少なくなり、導風板３の上端部から送出される風量が多くなる。
【００４８】
導風板３の下端部から送出される風は、空気調和機１の下方に向かうため、空気調和機１の下方に居るユーザに直接当たることがあり、ユーザによっては、風が直に当たることを好まないことがある。このような構成として下方に向かう風量を抑えることで、風が当たることを好まないユーザにも閉位置モードによる運転を好適に利用してもらうことが可能になる。また、導風板３の上端部から送出される風量が増えることでより多くの風を遠くへ送り出すことができる。
【００４９】
〔実施の形態３〕
本発明の他の実施の形態について、以下に説明する。なお、説明の便宜上、上記実施の形態にて説明した部材と同じ機能を有する部材については、同じ符号を付記し、その説明を繰り返さない。
【００５０】
図１２は、本実施の形態に係る空気調和機１１の、２枚の導風板３Ａ，３Ｂが閉位置にある状態の模式図である。図１３は、図１２における矢印Ｙにて示す方向から空気調和機１１の吹出口７を見た要部の図である。
【００５１】
図１２、図１３に示すように、空気調和機１１においては、空気調和機１１の本体部２の前面に吸込口１６が設けられ、本体部２の前面下部が上方から下方に向かって後面側に傾斜しており、この部分の前面パネル４に吹出口７が形成されている。２枚の導風板３Ａ，３Ｂは、閉位置で吹出口７の内部が矢印Ｙ方向より視認できないように上下に取り付けられ、閉位置にある状態で、２枚の導風板３Ａ，３Ｂと吹出口７との間には所定の距離Ｘ以上の隙間１０が存在している。
【００５２】
このように、実施の形態１、２で例示した大型の導風板３を備える空気調和機１，１’に限らず、このような小型の導風板３Ａ，３Ｂを備えた空気調和機１１においても、隙間１０から風を送出する閉位置モードによる運転を適用することができる。要は、空気調和機における吹出口を導風板で覆って、空気調和機の停止時に内部が見えないようにし、空気調和機の運転時に導風板を動かして吹出口を開放する空気調和機であればよい。
【００５３】
また、空気清浄部として、実施の形態１、２で例示した空気調和機１，１’においては、ＨＥＰＡフィルタおよびイオン発生器３８を例示したが、これらに限るものではなく、空調空間の空気を空気調和機から送出する風にて清浄できるものであれば、どのようなタイプでもよい。
【００５４】
また、実施の形態１、２で例示した空気調和機１，１’においては、上吸込口８と下吸込口９とを設けた構成を例示したが、吸込口を１つとし、１つの吸込口にＨＥＰＡフィルタを設ける構成としてもよい。
【００５５】
〔まとめ〕
本発明の態様１に係る空気調和機１は、吹出口７を有する本体部２と、前記吹出口７を開閉し、前記吹出口７から吹き出される風を案内する導風板３と、前記導風板３を駆動する導風板駆動機構と、を有し、前記導風板３が前記吹出口７を覆う閉位置にある状態で、前記導風板３と前記吹出口７との間には所定の距離以上の隙間１０が存在し、前記吹出口７から吹き出した風を前記隙間１０から機外へ送出する閉位置モードを有することを特徴とする。
【００５６】
本発明の態様２に係る空気調和機１は、さらに、態様１において、前記吹出口７は、前記本体部２における上方から下方に向かって後面側に傾斜した前面部に配された前面パネル４に設けられ、前記導風板３は、前記吹出口７よりも大きく、前記閉位置で前記前面パネル４に重畳して配され、前記隙間１０が前記導風板３と前記前面パネル４との間に形成されている構成とすることもできる。
【００５７】
本発明の態様３に係る空気調和機１は、さらに、態様１又は２において、前記導風板３は、前記本体部２の内側に向かって凹をなすＲ形状を有する構成とすることもできる。
【００５８】
本発明の態様４に係る空気調和機１は、さらに、態様３において、前記前面パネル４は、前記閉位置に位置する前記導風板３に沿う形状を有する構成とすることもできる。
【００５９】
本発明の態様５に係る空気調和機１は、さらに、態様２から４の何れかにおいて、前記前面パネル４における前記吹出口７の下方、あるいは前記導風板３における前記吹出口７の下方と対向する部分に、前記隙間１０を前記吹出口７の上方および左右の側方よりも狭める、あるいはシールするための凸形状２５を有する構成とすることもできる。
【００６０】
本発明の態様６に係る空気調和機１は、さらに、態様１から５の何れかにおいて、空気を清浄化する空気清浄部（ＨＥＰＡフィルタ、イオン発生器３８）を有し、前記閉位置モードにて、前記空気清浄部を用いた空気清浄運転が実行される構成とすることもできる。
【００６１】
本発明は上述した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。さらに、各実施の形態にそれぞれ開示された技術的手段を組み合わせることにより、新しい技術的特徴を形成することができる。
【符号の説明】
【００６２】
１、１’、１１  空気調和機
２  本体部
３、３Ａ，３Ｂ  導風板
５  室外機
４  前面パネル
７  吹出口
８  上吸込口
９  下吸込口
１０  隙間
１２  蓋部
１３  送風ファン
１４  熱交換器
１５  アーム
２５  凸形状
３１  制御部
３２  空調部
３３  蓋駆動モータ
３４  導風板駆動モータ
３５  送風機モータ
３８  イオン発生器
【図１】
2020193756.tif 000003
【図２】
2020193756.tif 000004
【図３】
2020193756.tif 000005
【図４】
2020193756.tif 000006
【図５】
2020193756.tif 000007
【図６】
2020193756.tif 000008
【図７】
2020193756.tif 000009
【図８】
2020193756.tif 000010
【図９】
2020193756.tif 000011
【図１０】
2020193756.tif 000012
【図１１】
2020193756.tif 000013
【図１２】
2020193756.tif 000014
【図１３】
2020193756.tif 000015